(57)【要約】【課題】構造的に頑丈であり、且つ安全性の高い組立式レジャー用椅子を提供する。      【解決手段】前枢設構造、後枢設構造、側辺枢設構造、手すり桿、座部支持桿、横桿支持構造から構成され、そのうち、前枢設構造は、前脚桿構造、第一枢設版を含み、後枢設構造は、後脚桿構造、第二枢設板を含む。第二枢設板のうちの一端は、湾曲状であり、側辺枢設構造は、二第三枢設板を一前脚桿構造と一後脚桿構造の間に交差して設置する。手すり桿下方は、桿体に沿って突出した円柱状の一滑動桿及び下向きに伸びた一連接桿を有し、座部支持桿のうちの前端は、湾曲状で、横桿支持構造は、連接塊、横桿、横桿接塊を含む。【選択図】図２
0003145809.tif 000002
【実用新案登録請求の範囲】
【請求項１】
前枢設構造、後枢設構造、側辺枢設構造、手すり桿、座部支持桿、横桿支持構造を備えて構成されるレジャー用椅子において、
前記前枢設構造は、前脚桿構造、第一枢設板を含み、前脚桿構造は、前脚桿上段、前脚桿下段、前脚桿底台、前脚桿接合台、前脚桿滑動ホルダーを含み、
前記後枢設構造は、後脚桿構造、第二枢設板を含み、該後脚桿構造は、後脚桿底台、後脚桿滑動ホルダー、後脚桿固定ホルダー、手すり桿レール片、後脚桿を含み、前記前脚桿構造と後脚桿構造は、二構造が相互に平行で、且つ地面に垂直で、縦向きに伸縮し且つ開き、
前記側辺枢設構造は、二第三枢設板を一前脚桿構造と一後脚桿構造の間に交差して設置し、
前記横桿支持構造は、連接塊、横桿、横桿接塊を含み、
一前脚桿構造と一後脚桿構造の間に一座部支持桿と一手すり桿を設置し、該座部支持桿は座シートを被せ、且つ湾曲状の前端と湾曲しない後端を有し、その後端は、後脚桿構造上の後脚桿固定ホルダー上に設置し、また前脚桿構造上の前脚桿接合台は座部支持桿の桿体上に接近する前端附近の適当な位置と接合し、座部支持桿を前脚桿構造と後脚桿構造の内側に設置し、該手すり桿下方は、桿体に沿って突出した円柱状の一滑動桿及び下向きに伸びた一連接桿があり、それぞれ後脚桿構造上の手すり桿レール片と前脚桿構造上の前脚桿接合台に設置し、該手すり桿を座部支持桿の上方に設置することを特徴とするレジャー用椅子。
【請求項２】
前記手すり桿レール片は、外観が一半円柱形状で、後脚桿上に設置し、後脚桿滑動ホルダー上方に設置して前、後に回転することを特徴とする請求項１記載のレジャー用椅子。
【請求項３】
前記手すり桿を折り畳む時、前脚桿接合台に設置した一端は前脚桿接合台と共に上昇し、手すり桿レール片に設置した一端は手すり桿レール片と共に上に向かって回転し、手すり桿は手すり桿レール片を支点として上向きに回転し、構造全体を折り畳むことを特徴とする請求項１記載のレジャー用椅子。
【請求項４】
前記前脚桿接合台、手すり桿、手すり桿レール片を無くし、前記前脚桿上段と後脚桿を各々適度な長さにして手すり桿のない構造を形成することを特徴とする請求項１記載のレジャー用椅子。
【考案の詳細な説明】
【技術分野】
【０００１】
本考案は、レジャー用椅子に係り、特に相互に平行且つ地面に垂直に伸縮自在で、収納したり、開いたりする両前脚桿構造と両後脚桿構造を備え、更に一前脚桿構造と一後脚桿構造との間に一座部支持桿と一手すり桿を設置し、該座部支持桿は座シートに設置して座シートの四点設置の欠点を改善し、手すり桿は全体構造の収縮に従って上に回転して折り畳まれるレジャー用椅子に関する。
【背景技術】
【０００２】
図７から図１０は、従来のレジャー用椅子を示す構造図である。その構造は、二本の同じ長さの交差板９０をＸ状に交差させた折畳構造である。その手すり桿構造８０はオス継手８１、メス継手８２、手すり桿８３から構成される中間折曲折畳の構造であるが、この構造は以下の欠点を持つ。
【０００３】
欠点の１として、前記手すり桿構造８０は、中間折曲折畳の構造を採用しているが、該手すり桿構造８０は腕の重量を支える箇所である。該中間折曲折畳の構造の中間は折曲箇所であるため非常に弱い。何度も折曲していると、次第に緩み、ある日、腕を載せたときに構造が壊れることもある。更に前記オス継手８１、メス継手８２の接合箇所は指や腕を挟みやすいため、使用上の安全性にも問題がある。
【０００４】
欠点の２として、図１０に示すとおり、座シート１００と骨フレーム連接方式は、四脚桿の四点連接で、中央部位には支えが全くない。この点連接方式の接触面積は小さいため、長期に使用していると、座シート１００と骨フレーム連接点が切れてしまう虞がある。
【特許文献１】台湾  実用新案申請第０９１２０３８３４号
【考案の開示】
【考案が解決しようとする課題】
【０００５】
考案が解決しようとする問題点は、腕を支えるための手すりの接合箇所が弱いこと、座シートを連接する方式が点であるため、長期使用に耐えない点である。
【課題を解決するための手段】
【０００６】
本考案は、前枢設構造、後枢設構造、側辺枢設構造、手すり桿、座部支持桿、横桿支持構造から構成される。そのうち，前枢設構造は、前脚桿構造、第一枢設版を含む。前記後枢設構造は、後脚桿構造、第二枢設板を含む。該第二枢設板のうちの一端は、湾曲状である。前記側辺枢設構造は、二第三枢設板を一前脚桿構造と一後脚桿構造の間に交差して設置する。前記手すり桿下方は、桿体に沿って突出した円柱状の一滑動桿及び下向きに伸びた一連接桿を有する。座部支持桿のうちの前端は、湾曲状で、横桿支持構造は、連接塊、横桿、横桿接塊を含むことを主要な特徴とする。
【考案の効果】
【０００７】
本考案のレジャー用椅子は、構造が強く、且つ安全性の高い組立式手すり桿構造を備え、且つ座部支持桿の設置によって座シートが安定するという利点がある。
【考案を実施するための最良の形態】
【０００８】
以下、図面を参照して本考案の実施例を説明する。
【０００９】
本考案実施例のレジャー用椅子は、束状折畳収納可能で、主に前枢設構造、後枢設構造、側辺枢設構造、手すり桿、座部支持桿、横桿支持構造塊から構成されている。そのうち、前枢設構造は、前脚桿構造、第一枢設版を含み、後枢設構造は、後脚桿構造、第二枢設板を含む。前記第二枢設板のうちの一端は、湾曲状である。前記側辺枢設構造は、二第三枢設板は一前脚桿構造と一後脚桿構造の間に設置して交差して構成されている。手すり桿下方は、桿体に沿って突出した円柱状の滑動桿及び下向きに突出した連接桿があり、該座部支持桿の前端は、湾曲状である。横桿支持構造は、連接塊、横桿、横桿接塊を含む。本考案実施例のレジャー用椅子は、前枢設構造と後枢設構造を採用してそれぞれ異なる長さの第一枢設板と第二枢設板を使用し、且つ前枢設構造は二第一枢設板を採用してＸ字型に交差し、後枢設構造は四第二枢設板でU字状と逆U字状に交錯した構造を採用している。前枢設構造の折畳ストロークを後枢設構造の折畳ストロークより大きくする。
【実施例】
【００１０】
図１から図５は、本考案実施例のレジャー用椅子を示す説明図である。本実施例は束状折畳収納のレジャー用椅子であり、主に前枢設構造１０、後枢設構造２０、側辺枢設構造３０、手すり桿４０、座部支持桿５０、横桿支持構造７０から構成されている。そのうち、前枢設構造１０は、前脚桿構造１１、第一枢設板１２を含み、該前脚桿構造１１は前脚桿上段１１１、前脚桿下段１１２、前脚桿底台１１３、前脚桿接合台１１４、前脚桿滑動ホルダー１１５を含む。前記前脚桿上段１１１は前脚桿下段１１２外に嵌合して覆い、前脚桿下段１１２桿体に沿って上下移動し、該前脚桿底台１１３は、前脚桿下段１１２の底端に設置する。前記前脚桿接合台１１４は、前脚桿上段１１１の最上端に設置し、前記前脚桿滑動ホルダー１１５は前脚桿上段１１１桿体に被せ、前脚桿上段１１１桿体に沿って上下移動する。
【００１１】
前脚桿上段１１１を前脚桿下段１１２外に被せて嵌合し、次に前脚桿接合台１１４、前脚桿滑動ホルダー１１５をそれぞれ前脚桿上段１１１の最上端と桿体に嵌合し、その後、前脚桿下段１１２の底端に前脚桿底台１１３を設置して前脚桿構造１１の組立が完成する。次に、第一片目の第一枢設板１２のうちの一端を第一座前脚桿構造１１の前脚桿接合台１１４上に設置し、別一端を別一組の前脚桿構造１１の前脚桿底台１１３に設置する。更に、第二片目の第一枢設板１２のうちの一端を第一座前脚桿構造１１の前脚桿底台１１３に設置して、次に別一端を別一組の前脚桿構造１１の前脚桿接合台１１４に設置して第一片目の第一枢設板１２と第二片目の第一枢設板１２がＸ状に交差して前枢設構造１０の組立が完成する。
【００１２】
前記後枢設構造２０は、後脚桿構造２１、第二枢設板２２を含み、該後脚桿構造２１は、後脚桿底台２１１、後脚桿滑動ホルダー２１２、後脚桿固定ホルダー２１３、手すり桿レール片２１４、後脚桿２１５を含む。前記後脚桿底台２１１は、後脚桿２１５の底端に設置し、該後脚桿滑動ホルダー２１２と後脚桿固定ホルダー２１３は、どちらも後脚桿２１５桿体に嵌合する。前記後脚桿滑動ホルダー２１２は、後脚桿２１５桿体に沿って上下移動し、また後脚桿固定ホルダー２１３は、後脚桿２１５桿体に固定される。又、前記後脚桿滑動ホルダー２１２は、後脚桿固定ホルダー２１３上方に位置し、手すり桿レール片２１４外観は、半円柱形状で、それを後脚桿２１５上に設置し、且つ後脚桿滑動ホルダー２１２上方に配置することで、前、後に回転する。前記第二枢設板２２の一端は、円弧湾曲形状である。
【００１３】
前記手すり桿レール片２１４を後脚桿２１５上に固定設置し、次に、後脚桿滑動ホルダー２１２、後脚桿固定ホルダー２１３を後脚桿２１５桿体に嵌合する。そして、後脚桿２１５底端に後脚桿底台２１１を設置して後脚桿構造２１の組立を完成する。次に、第一片目の第二枢設片２２の一端を一後脚桿構造２１の後脚桿滑動ホルダー２１２に設置し、次に、第一片目の第二枢設片２２の湾曲した一端と、第二片目の第二枢設片２２の湾曲した一端を連接する。そして、第二片目の第二枢設片２２の別一端を別一後脚桿構造２１の後脚桿滑動ホルダー２１２に設置して一U字状構造を形成する。続いて、第三片目の第二枢設片２２の一端を一後脚桿構造２１の後脚桿底台２１１に設置し、次に、第三片目の第二枢設片２２の湾曲した一端と、第四片目の第二枢設片２２の湾曲した一端を連接する。その後、第四片目の第二枢設片２２の別一端を別一後脚桿構造２１の後脚桿底台２１１に設置して一逆U字状構造を形成し、後枢設構造２０全体を一U字状と逆U字状が交錯した構造に形成する。
【００１４】
前記側辺枢設構造３０は、二第三枢設板３１を一前脚桿構造１１と一後脚桿構造２１の間に設置して交差し、第一片目の第三枢設板３１一端は前脚桿滑動ホルダー１１５上に設置し、別一端は後脚桿底台２１１上に設置する。その後、第二片目の第三枢設板３１一端を後脚桿滑動ホルダー２１２上に設置し、別一端は前脚桿底台１１３上に設置して側辺枢設構造３０の組立を完成する。
【００１５】
前記手すり桿４０下方は、桿体に沿って突出した円柱状の滑動桿４１及び下向きに伸びる一連接桿４２を備える。
【００１６】
手すり桿４０下方の滑動桿４１を後脚桿構造２１上の手すり桿レール片２１４に嵌合し、その後、連接桿４２を前脚桿構造１１上の前脚桿接合台１１４に設置し、手すり桿４０を座部支持桿５０の上方に設置して手すり桿４０の組立を完成する。
【００１７】
図５に示すとおり、折り畳む時、前脚桿接合台１１４の一端に設置した手すり桿４０は、前脚桿接合台１１４と共に上昇し、手すり桿レール片２１４に設置した一端と手すり桿レール片２１４が共に上向きに回転し、手すり桿４０を、手すり桿レール片２１４を支点として上向きに回転させ、全体構造を折り畳む。
【００１８】
前記座部支持桿５０の前端は湾曲状で、その湾曲がない後端は、後脚桿構造２１上の後脚桿固定ホルダー２１３上に設置し、前脚桿構造１１上の前脚桿接合台１１４は座部支持桿５０桿体上の前端附近に近い適当な位置と接合し、座部支持桿５０を前脚桿構造１１と後脚桿構造２１の内側に設置する。
【００１９】
前記横桿支持構造７０は、連接塊７１、横桿７２、横桿接塊７３を含み、該横桿７２の一端は、連接塊７１内に設置し、別一端は横桿接塊７３に設置し、該横桿接塊７３は、後脚桿滑動ホルダー２１２に連接する。
【００２０】
図７及び図８の従来構造は、その四面構造がすべて同じ長さの交差板９０をＸ字型に交差した折畳構造であるため、折り畳む時、その前後左右四面は、同時に折り畳みが完成する。そのため、その手すり桿構造８０は多々欠点の多いオス継手８１、メス継手８２、手すり桿８３で構成される中間折曲折畳の構造を採用しており、前述した本考案実施例が使用する一体成型の手すり桿４０は採用できない。 
図２に示すとおり、本実施例の両前脚桿構造１１と両後脚桿構造２１は、互いに平行で、且つ地面に垂直で縦方向に伸縮して折り畳んだり、開いたりする。更に、一前脚桿構造１１と一後脚桿構造２１の間には一座部支持桿５０を設置して座シート６０に提供することで、従来の座シート１００が四点で支持する束状折畳収納のレジャー椅子構造を改善した。
【００２１】
図２に示すとおり、本実施例は、採前枢設構造１０と後枢設構造２０を採用してそれぞれが異なる長さの第一枢設板１２と第二枢設板２２を使用し、且つ前枢設構造１０は両第一枢設板１２をＸ字型に交差し、後枢設構造２０は四第二枢設板２２を使用してU字状と逆U字状が交錯する構造にして前枢設構造１０の折畳ストロークを後枢設構造２０折畳ストロークより大きい構造にする。図３に示すとおり、前脚桿接合台１１４と前脚桿滑動ホルダー１１５の間の距離は、前枢設構造１０の折畳ストロークであり、後脚桿滑動ホルダー２１２と後脚桿固定ホルダー２１３の間の距離は、後枢設構造２０の折畳ストロークである。前枢設構造１０の折畳ストロークは、明らかに後枢設構造２０の折畳ストロークより大きい。そのため、構造全体を折り畳む時、前脚桿上段１１１の前脚桿接合台１１４の上昇速度は後脚桿２１５の後脚桿滑動ホルダー２１２より早く、つまり側辺枢設構造３０と後枢設構造２０の折り畳みが完了した時、前枢設構造１０も同時に折り畳みが完成する。
【００２２】
利点１、本実施例は、一体成型の手すり桿４０を採用し、手すり桿４０下方に設置した下向きの連接桿４２によって側辺枢設構造３０の折畳ストロークを長くすることで、折畳構造の問題を解決し、故に構造が弱く、且つ安全性が低い組立式手すり桿構造８０を改善する。
【００２３】
利点２、本実施例の座シート６０は、座部支持桿５０に設置する。座部支持桿５０桿体で座シート６０を支持することにより、従来構造内の座シート１００各点式連接より更に安定し、安全且つ座シート６０が切れてしまうことがない。
【００２４】
図６は、本実施例の変形例を示す図で、前脚桿接合台１１４、手すり桿４０、手すり桿レール片２１４を取り除き、次に前脚桿上段１１１と後脚桿２１５を適当な長さにして手すりのない構造の束状レジャー椅子を形成したものである。
【産業上の利用可能性】
【００２５】
考案の構造は、テーブル、椅子、ベッドにも応用でき、多種の実用性を備える。
【図面の簡単な説明】
【００２６】
【図１】本考案の実施例のレジャー用椅子を示す斜視図である。
【図２】実施例の骨フレーム構造を示す展開図である。
【図３】実施例の骨フレーム構造を折り畳んだ状態を示す折畳図である。
【図４】実施例の骨フレーム構造を示す側面図である。
【図５】実施例の折畳動作を示す側面図である。
【図６】本実施例の変形例を示す斜視図である。
【図７】従来構造の骨フレーム構造を示す展開図である。
【図８】従来構造の手すり桿構造の折曲図である。
【図９】従来構造の手すり桿構造の分解図である。
【図１０】従来構造の斜視図である。
【符号の説明】
【００２７】
１０        前枢設構造
１１        前脚桿構造
１１１        前脚桿上段
１１２        前脚桿下段
１１３        前脚桿底台
１１４        前脚桿接合台
１１５        前脚桿滑動ホルダー
１２        第一枢設板
２０        後枢設構造
２１        後脚桿構造
２１１        後脚桿底台
２１２        後脚桿滑動ホルダー
２１３        後脚桿固定ホルダー
２１４        手すり桿レール片
２１５        後脚桿
２２        第二枢設板
３０        側辺枢設構造
３１        第三枢設板
４０        手すり桿
４１        滑動桿
４２        連接桿
５０        座部支持桿
６０        座シート
７０        横桿支持構造
７１        連接塊
７２        横桿
７３        横桿接塊
８０        手すり桿構造
８１        オス継手
８２        メス継手
８３        手すり桿
９０        交差板
１００        座シート
【図１】
0003145809.tif 000003
【図２】
0003145809.tif 000004
【図３】
0003145809.tif 000005
【図４】
0003145809.tif 000006
【図５】
0003145809.tif 000007
【図６】
0003145809.tif 000008
【図７】
0003145809.tif 000009
【図８】
0003145809.tif 000010
【図９】
0003145809.tif 000011
【図１０】
0003145809.tif 000012